(57)【特許請求の範囲】
【請求項１】
取外し可能なキャップを有する薬剤送出ペンに用いられる複数本の針アセンブリィを格納および小出しする装置であって、
複数のキャビティを包含する上面を有し、キャビティのそれぞれは針アセンブリィを受容するような寸法に作られたコンテナと、
このコンテナを薬剤送出ペンに装着する手段と、
前記コンテナに回転可能に取り付けられ、前記コンテナの前記複数のキャビティの１つに対して一直線状となり、この複数のキャビティの１つにある針アセンブリィにアクセスすることをもたらすように回転可能なスロットを有するカバーと、
前記複数のキャビティのそれぞれを覆う無菌バリアと
を具え、前記無菌バリアは、前記複数のキャビティのそれぞれにかかる筋目を有し、この筋目の背後の前記キャビティにアクセスする前記薬剤送出ペンが前記無菌バリアを突き通し可能となることを特徴とする装置。
【請求項２】
前記コンテナを前記薬剤送出ペンに装着する前記手段は、前記薬剤送出ペンに対して取り外し可能なキャップの開口端の内側に前記コンテナの取り付け手段を有することを特徴とする請求項１に記載の装置。
【請求項３】
前記無菌バリアのそれぞれは、この装置に残っている未使用の針アセンブリィの数を見分ける表示を有することを特徴とする請求項１または請求項２に記載の装置。
【請求項４】
前記薬剤送出ペンに前記針アセンブリィの１つを装着する手段をさらに具えたことを特徴とする請求項１から請求項３の何れかに記載の装置。
【請求項５】
前記装着手段は、前記薬剤送出ペンの末部の１組のねじ山と螺合する１組のねじ山を持ったアダプタを有し、このアダプタを前記薬剤送出ペンに装着することを特徴とする請求項４に記載の装置。
【発明の詳細な説明】
【０００１】
【発明の属する技術分野】
本発明は、新たなペンニードル用のペンニードルディスペンサ、より詳細には薬剤送出ペン用の無菌ペンニードルを保持して小出しすると共に使用済みの針を安全に格納するペンニードルマガジンディスペンサに関する。
【０００２】
【従来の技術】
皮下注射器は、選択された量の薬剤を患者に投与するのに使用される。従来の皮下注射器は、対立する基部と末部とを有する注射器胴体を具えている。前記両端の間に円筒状のチャンバ壁が延在し、流体を収容するチャンバを形成している。この従来型の注射器胴体の基部は実質的に開放され、プランジャを摺動可能かつ流体が漏れないように係合させて収容している。この従来型の注射器胴体の末部には、前記チャンバに通じる通路が設けられている。この従来型の注射器の胴体の末部には、針状カニューレが取り付けられ、この針状カニューレの内腔が前記通路と注射器胴体とに通じている。プランジャを基部方向に動かすと、流体が針状カニューレの内腔を通じてチャンバ内に引き込まれる。プランジャを末部方向に動かすと、流体はチャンバから押し出され、針状カニューレの内腔を通じて流れる。
【０００３】
この皮下注射器によって注射される薬剤は、突き通し可能な弾性体のシールを有する容器の中に入っていることが多い。この従来型の容器の中の薬剤は、針状カニューレで弾性体シールを突き通すことによりアクセスされる。プランジャを基部方向に選択された距離だけ動かすことにより、選択された量の薬剤が注射器胴体のチャンバ内に引き入れられる。この針状カニューレを容器から引き抜き、プランジャを末部方向に動かすことによって、薬剤が患者に注射される。
【０００４】
インシュリンなどの薬剤は、自己注射されている。典型的な糖尿病患者は、１日の間に数回インシュリンを注射する必要がある。インシュリンの必要量は患者毎に異なり、そして各患者の必要量は一日の過程でも変わり、かつ一日毎に異なることもある。各糖尿病患者は、彼または彼女自身の身体条件および彼または彼女のライフスタイルに適した養生法を確立している。この養生法には、遅効性、すなわち中間効果性インシュリンと速効性インシュリンとを組み合せる方法を含む。これらの養生法によっては、糖尿病患者は仕事先やレストランなどの公衆の場所でインシュリンを自己注射することが要求される。従来の一般的な皮下注射器および容器の取り扱いは、これらの公衆の環境では不便であって行い難いものである。
【０００５】
薬剤の自己注射を行い易くするため、薬剤送出ペンが開発されてきた。従来技術の薬剤送出ペンは、図１中の数字１によって概ね識別される。ペン１は、数回分に足りる薬剤を持ったカートリッジを有する。この従来のカートリッジは、対立する末部および基部を有する。末部は、図１中の数字２によって識別される突き通し可能であって再シール可能なゴム膜により塞がれている。基部は、摺動状態で流体シール係合するストッパを受容している。この従来のカートリッジは、基部（図示せず）および反対側の末部６を有する細長いペン形のボディ４内に配置されている。このペンボディの基部は、カートリッジのストッパを末部方向に選択的に動かすためのプランジャと、このプランジャおよびストッパが移動可能な距離を決定するための投与量セット機構とを有する。ペンボディ４の末部６は、ペンニードルアセンブリィ９０と螺合するための１組のねじ山８を有する。ペンニードルアセンブリィ９０は、対立する基部および末部尖端９２, ９３を持った針状カニューレ９１と、基端チップ９２を囲むねじ山を切った取り付けスカート９４とを有する。取り付けスカート９４は、ペンボディ４の末部６のねじ山８とねじ結合可能である。安全シールド９５は、末部尖端９３および取り付けスカート９４の部分を覆って取り外し可能に結合され、偶発的な針の突き刺しを防止する。
【０００６】
【発明が解決しようとする課題】
数回分の薬剤を間欠的に注射する必要のある者は、薬剤送出ペン１およびペンニードルアセンブリィ９０の補給品を持ち歩こう。各ペンニードルアセンブリィ９０は、そのシールド９５内に安全かつ無菌状態にシールされた針状カニューレ９１を有し、一回分の薬剤を投与する直前にアクセスされる。そして、ペンニードルアセンブリィ９０が従来のペン１の末部６に取り付けられる。この取り付けは、針状カニューレ９１の基部尖端９２がカートリッジのゴム膜を貫通し、針状カニューレ９１がペン１内の薬剤と連通状態にすることをもたらす。そして、ペン１は薬剤の選択した投与量を注射するために用いられる。注射した後、針アセンブリィ９０は、ペン１から切り離されて廃棄される。ペン１は、薬剤を使い尽くすまでこの方法により繰り返し使用可能である。このような従来技術のペンは、多くの利便性および効能を提供する。しかしながら、未使用の針の格納および使用した針の最終的な処分は、提起された問題を有する。特に、新たな針の補給品は、パースやブリーフケースの底にばらばらに放り込まれることが多く、使用済みの針が危険な状態で処分されることが度々ある。
【０００７】
【発明の目的】
本発明の目的は、ペンニードルがペンニードルマガジンディスペンサにカバーされることによって、ペンニードルの再使用を阻止することにある。
【０００８】
本発明の他の目的は、個人的なペンニードルの使用に対して持ち運び, 処分および紛失しないようにする便利な方法を使用者にもたらすことである。
【０００９】
本発明の他の目的は、新たな形式のペンニードルがこのような通常の薬剤送出ペンと共に使用可能となるように、通常の薬剤送出ペンの末部にねじ山が切られたアダプタを提供することにある。
【００１０】
【課題を解決するための手段】
本発明は、皮下注射器に用いられる針アセンブリィ、好ましくは薬剤送出ペンのねじ山８と螺合する一般的なねじ山を有するアダプタに対して装着されるようにデザインされた新たな形式のペンニードルを格納して小出しする装置に関する。
【００１１】
本発明の第１の形態は、取り外し可能なキャップを有する薬剤送出ペンに用いられる複数本の針アセンブリィを格納および小出しする装置であって、
複数のキャビティを包含する上面を有し、キャビティのそれぞれは針アセンブリィを受容するような寸法に作られたコンテナと、
このコンテナを薬剤送出ペンに装着するための手段と、
前記コンテナに回転可能に取り付けられ、前記コンテナの前記複数のキャビティの１つに対して一直線状となり、この複数のキャビティの１つにある針アセンブリィにアクセスすることをもたらすように回転可能なスロットを有するカバーと、
前記複数のキャビティのそれぞれを覆う無菌バリアと
を具え、前記無菌バリアは、前記複数のキャビティのそれぞれにかかる筋目を有し、この筋目の背後の前記キャビティにアクセスする前記薬剤送出ペンが前記無菌バリアを突き通し可能となることを特徴とするものである。
【００１３】
本発明のペンニードルディスペンサは、複数のキャビティを持ったコンテナに対して回転可能に取り付けられるカバーを持ったマガジンディスペンサを有し、キャビティのそれぞれは、新たな形式のペンニードルアセンブリィを受容するように寸法に作られている。カバーは、未使用のペンニードルが入るコンテナのキャビティに対して一直線状となるように回転されるスロットを有する。スロットがこのキャビティに対して一直線状になると、使用者は薬剤送出ペンのアダプタをキャビティに向けて差し込み、薬剤送出ペンに未使用ペンニードルを取り付けるためにペンを回転する。注射を行った後、使用済みのペンニードルは、この使用済みのペンニードルをキャビティ内に差し込み、ペンのアダプタからペンニードルを取り外すようにペンを回すことによって、キャビティ内に戻される。そして、使用者は、カバー内のスロットが次回の注射の間に使用されるべき他の未使用ペンニードルを収容する次のキャビティに対してアクセスをもたらすまでカバーを回転する。
【００１４】
【発明の実施の形態】
本発明の第１の形態による装置において、コンテナを薬剤送出ペンに装着する手段は、薬剤送出ペンに対して取り外し可能なキャップの開口端の内側にコンテナを取り付ける手段を有するものであってもよい。
【００１５】
無菌バリアのそれぞれは、この装置に残っている未使用の針アセンブリィの数を見分ける表示を有するものであってもよい。
【００１６】
薬剤送出ペンに針アセンブリィの１つを装着する手段をさらに設けるようにしてもよい。この場合、装着手段は、薬剤送出ペンの末部の１組のねじ山と螺合する１組のねじ山を持ったアダプタを有し、このアダプタを薬剤送出ペンに装着するようにしてもよい。
【００１８】
本発明のこれらおよび他の形態, 特徴および長所は、添付図面と共に取り上げた以下の詳細な説明から明白になろう。
【００１９】
【実施例】
本発明によるペンニードルマガジンディスペンサは、図２, 図３および図４中の数字１０によって概ね識別される。図２は、本発明による薬剤送出ペン１のキャップ３およびペンニードルマガジンディスペンサ１０の分解斜視図である。キャップ３は、クリップ５と、ペンニードルマガジンディスペンサ１０を受容するような寸法に作られた開口端７とを有する。図３は、ペンニードルマガジンディスペンサ１０に向けて薬剤送出ペン１の末部６に対するアダプタ５０の挿入操作と、アダプタ５０にペンニードルアセンブリィ１００を装着するために用いられる回転運動とを示す斜視図である。
【００２０】
図４の分解斜視図に示すように、ペンニードルマガジンディスペンサ１０は、カバー２０とコンテナ３０とを有する。コンテナ３０は、複数のキャビティ３１をコンテナ３０の周辺近傍に有し、キャビティ３１のそれぞれは以下にさらに説明されるペンニードルアセンブリィ１００を受容するような寸法に作られている。各ペンニードルアセンブリィ１００は、コンテナ３０の上面３２に装着される円形のラベルまたは無菌バリア１５０によって個々のキャビティ３１内に初めはシールされている。ラベル１５０は、キャビティ３１のそれぞれに収容された未使用のペンニードルアセンブリィ１００に対する無菌状態と、使用者が特定のキャビティ内のペンニードルアセンブリィが使用済みであるか否かを識別するための単純な手段とをもたらす。
【００２１】
ペンニードルマガジンディスペンサ１０は、最初、複数のキャビティ３１内に所定数のペンニードルアセンブリィ１００が詰め込まれ、すべてのキャビティ３１は無菌バリア１５０によってシールされ、各キャビティ３１に対応する番号１５１をその上に有する。ラベル１５０上の各番号１５１または他の表示は、未使用のペンニードルアセンブリィ１００がペンニードルマガジンディスペンサ１０にどれだけ残っているのかを使用者に示す。ラベル１５０は、コンテナ３０に取り付けられるカバー２０が貫通する中央開口１５２を有し、各キャビティ３１の位置に筋目が付けられており、もちろん、シールの無菌状態に悪影響を及ぼすことなく、アダプタ５０にペンニードルアセンブリィ１００を装填する際に薬剤送出ペン１のアダプタ５０がラベル１５０を突き抜く時、統制された破断を可能とする。筋目領域の統制された破断は、薬剤送出ペン１のアダプタ５０がキャビティ３１内のペンニードルアセンブリィ１００と係合するようにラベル１５０を貫通して挿入されることを可能とする。
【００２２】
図４に示したペンニードルマガジンディスペンサ１に新たな針アセンブリィ１００を装填し、そしてコンテナ３０に回転可能に取り付けたカバー２０および１つのキャビティ３１の上の上面３２に装着されたラベル１５０を完全に組み立てた後、カバー２０は、最初に装填したキャビティ３１の上のスロット２１を動かすため、コンテナ３０に対して回転される。図４に示すように、コンテナ３０は、中央開口３７と、コンテナ３０の外壁３５の周囲に選択的に間隔をあけた複数のラチェット歯３３とを有する。また、コンテナ３０は、ラチェット歯３３より下のコンテナ３０の外壁３５から外方に拡がるフランジ３４と、このフランジ３４から上方に延在する回り止めピン３６とを有する。回り止めピン３６の端部は、すべてのキャビティがスロット２１の真下を通過した場合、コンテナ３０に対するカバー２０の回転が停止されるように、カバー２０の下側に設置した回り止めキー２６の同様な端部と作用する。
【００２３】
カバー２０は、拡大頭部３３を持った中央支柱２２を有する。さらに、カバー２０は、下方に延在してその周辺を囲む外側リップ２７を有し、カバー２０がコンテナ３０に装着された時にコンテナ３０を覆う。外側リップ２７は、そこからコンテナ３０の方向に延在するラチェット歯２５を有し、カバー２０の所定方向の回転を阻止するためにコンテナ３０の複数のラチェット歯３３と作用するような寸法に作られている。コンテナ３０にペンニードルアセンブリィ１００が装填され、そしてラベル１５０がコンテナ３０の上面３２に装着された後、拡大頭部３３が中央開口３７にパチッと止まるまでコンテナ３０の中央開口３７内に中央支柱２２を挿入することにより、カバー２０がコンテナ３０に対して回転可能に装着される。拡大頭部２３が中央開口３７内にパチッと止まると、カバー２０がコンテナ３０に装着されてコンテナ３０のラチェット歯３３がカバー２０から延在するラチェット歯２５と噛み合い、カバー２０が一方向、すなわち時計方向にのみ回転可能となる。従って、カバー２０はスロットを反時計方向に回転したり、あるいは使用済みのペンニードル１００を収容するキャビティ３１の真下に戻って動かすことはできない。
【００２４】
もちろん、カバー２０がコンテナ３０に装着される場合、コンテナ３０の回り止めピン３６の端部に対してカバー２０の回り止めキー２６の端部を隣接して位置決めし、カバー２０がコンテナ３０に対して時計回りに完全に回転し続けられるようにすることが重要である。従って、すべてのキャビティがカバー２０の使用したスロット２１をアクセスしてカバー２０がコンテナ３０に対して時計回りに１回転し終えた時、カバー２０の回り止めキー２６の端部は、コンテナ３０の回り止めピン３６の端部に対して再び隣接するが、時計回りのさらなる回転は阻止されよう。本実施例において、上述したラチェット歯２５および３３の相互作用のため、カバー２０をコンテナ３０に対して反時計方向に回すことは決してできない。
【００２５】
上述したように、コンテナ３０は、その周辺の回りに複数のキャビティ３１を有し、ペンニードルアセンブリィ１００を受容するような寸法に作られ、図５および図６により詳細に示されており、さらに以下に説明される。図５は前記複数のキャビティ３１の１つの断面図を示し、図６はアダプタ５０をより詳細に示す。図５に示すように、各キャビティ３１は、上側部分４２に通じる開口端３９と閉鎖端４４に通じる底部分４１とを有する。上側部分４２は、アダプタ５０に対してペンニードルアセンブリィ１００を装着あるいは取り外すためにアダプタ５０をキャビティ３１内に挿入した時、アダプタ５０の保持リング５５と係合する保持リング４６を有する。底部分４１は、これらの部分４１および４２が出会うところに形成した段部４３を持つ上側部分４２よりも小径である。１組のねじ山４５が段部４３に隣接する上側部分４２の底部に設けられており、底部分４１はペンニードルアセンブリィ１００の末部尖端１０４を受容するような寸法に作られている。
【００２６】
図５および図６に示すように、ペンニードルアセンブリィ１００は、三角形の基部１０９と、キャビティ３１内の１組のねじ山４５と螺合するような寸法でそこに作られた１組のねじ山１０１を持った末部１０７とを有するハブ１０２を具えている。針状カニューレ１０３は、ハブ１０２内に取り付けられており、末部尖端１０４と基部尖端１０５とを有する。基部尖端１０５は三角形の基部１０９から延在し、末部尖端１０４はハブ１０２の末部１０７の外側に延在する。また、基部１０９は、キャビティ３１内でのハブ１０２の回転操作を促進させてハブ１０２とアダプタ５０との間の締め代を増大させるため、１つあるいはそれ以上のスプライン１１０を有する。図４に示すように、複数のペンニードルアセンブリィ１００がペンニードルマガジンディスペンサ１０内に装填されて組み立てられた後、ペンニードルマガジンディスペンサ１０は、図２に示すように、キャップ３の開口７内に取り付けるために準備される。
【００２７】
図３に示すように、キャビティ３１内のそれぞれ新たにデザインされたペンニードルアセンブリィ１００のそれぞれは、取り出されて本発明によるアダプタ５０を有する薬剤送出ペンにのみ取り付けられることが可能である。図５に示すように、アダプタ５０は、一般的な薬剤送出ペン１の末部６のねじ山８と螺合するような寸法に作られた１組のねじ山５２を持った開口基部５１を有する。また、アダプタ５０は、その末部５４に独特な三角形の開口５３を有する。アダプタ５０がペン１の末部６に装着された後、アダプタ５０の末部５４は、アダプタ５０の三角形の開口５３内に針アセンブリィ１００の三角形の基部１０９を挿入することにより、キャビティ３１からペンニードルアセンブリィ１００を取り出すために用いられる。針アセンブリィ１００の三角形の基部１０９がアダプタ５０の三角形の開口５３に挿入されると、薬剤給送ペン１の回転は、ペンニードルアセンブリィ１００がキャビティ３１内で回転してアダプタ５０の三角形の開口５３に圧入されるように、針アセンブリィ１００の三角形の基部１０９を動かすことをもたらす。
【００２８】
ペン１が回転して針アセンブリィ１００がアダプタ５０内に駆動されるので、ペンニードルアセンブリィ１００の基部尖端１０５は、ペン１内のカートリッジのゴム膜２を突き破り、針状カニューレ１０３をペン１のカートリッジ内に収容された薬剤と連通状態に置く。また、この圧入は、ペン１内のカートリッジからの薬剤の注入中、基部尖端１０５をゴム膜２内に、また針アセンブリィ１００をアダプタ５０内に保持する。
【００２９】
使用後に、薬剤送出ペン１のアダプタ５０に取り付けられた使用済みのペンニードルアセンブリィ１００は、保持リング４６および５１が係合し、ペンニードルアセンブリィ１００の１組のねじ山１０１がキャビティ３１内の１組のねじ山４５と螺合状態となるまでキャビティ３１内に挿入される。そしで、薬剤送出ペン１が反対方向に回され、ペンニードルアセンブリィ１００をキャビティ３１の奥に装填し、そしてペンニードルアセンブリィ１００がアダプタ５０の外に引き出されるように、ペン１をコンテナ３０の外に引き出す。
【００３０】
そして、使用者は、スロット２１が未使用のペンニードル１００を有する、すなわちラベル１５０によってまだ覆われている次のキャビティ３１と一直線状となるまでカバー２０を回転する。カバー２０を回すだけで、ラチェット歯２５は、コンテナ３０の１組のラチェット歯３３の上に進み、そして反対方向へのカバー２０の回転が阻止される。もちろん、図面に示すと共に上述した単一方向性のカバーの代わりは、すでに使用済みの針を戻すように使用者がスロット２１を回転することを可能とするデザインであろう。この場合、ラチェット機構は必要ないけれども、本発明の他の特徴は、このような装置でも使用可能なことである。しかしながら、上述すると共に図面に示すように、現行のデザインは、ペンニードルアセンブリィ１００のすべてが使用され、最後のキャビティ３１がカバー２０のスロット２１によって相対向するまで、使用者が各キャビティ３１に対してカバー２０を繰り返し回転可能としている。この最後のキャビティを空にすることができるので、使用者はすべてのペンニードルアセンブリィ１００が使用されたことを知り、それによってペンニードルマガジンディスペンサ１０がもう適切に処分されるべきであることが示される。さらに、カバー２０の後ろに完全に塞がれてすべて装填されたキャビティ３１と共に空のキャビティ３１を設けることにより、すべての使用済みのペンニードルアセンブリィ１００およびそれらの基部尖端１０５は、偶発的な針の突き刺しを防止するが、その理由は、もはや両方向にカバー２０を回転することができないからである。上に説明したように、さらなる回転は、コンテナ３０の回り止めピン３６の端部とカバー２０の回り止めキー２６の端部との間の相互作用によって阻止されよう。ペンニードルアセンブリィ１００を保持するためにコンテナ３０内のすべてのキャビティ３１を使用することが望ましい場合、本発明の装置は、１／２単位の回転に制限された最終的な回転運動を有することができる。この場合、スロット２１は第１のキャビティと最後のキャビティとの間に最終的に位置し、コンテナ３０内にすべてのペンニードルアセンブリィ１００が収容されると共にカバー２０が両方向の回転を阻止される。
【００３１】
本発明は、好ましい実施例に関して記述したけれども、添付した請求の範囲により規定されるような本発明の範囲から逸脱することなく、種々の変更を行うことができることは明白である。例えば、アダプタ５０を別部品としてではなく、薬剤給送ペン１の末部６と一体成形、または恒久的に固着することができる。
【００３２】
【発明の効果】
本発明によると、ペンニードルをペンニードルマガジンディスペンサでカバーすることによって、その再利用を阻止することができる。さらに、カバーが次のキャビティに回された場合、カバーが使用済みのペンニードルに戻るような回転を阻止する手段をペンニードルマガジンディスペンサに設けることができる。
【００３３】
使用者がその個人的なペンニードルの使用に対する持ち運びや処分および紛失しない便利な方法をもたらすことを可能とする。このペンニードルマガジンディスペンサは、薬剤給送ペンのキャップに嵌合すると共に所定数のペンニードルを個々のキャビティに収容し、キャビティのそれぞれは番号を付けたラベルまたは無菌膜でシールされるようにデザインされる。番号を付けたラベルは、ペンニードルマガジンディスペンサに残っている使用済みのペンニードルが何本かを示す。
【００３４】
一般的な薬剤送給ペンの末部に装着されるアダプタを設けることができ、これによって新たな形式のペンニードルがこのような一般的な薬剤送給ペンと共に使用可能である。この新たな形式のペンニードルは、一端にねじ山を持ったベースを有し、アダプタとベースとの間の摩擦嵌合を引き起こすようにアダプタ内にベースの他端を動かす。この駆動力は、そのキャビティに対してペンニードルを回転するようにアダプタを使用することにより発生し、これによってキャビティからペンニードルを抜き出してアダプタ内にこれを圧入する。
【図面の簡単な説明】
【図１】本発明が使用を意図した従来技術のペンニードルおよび従来技術の薬剤送出ペンの末部の分解斜視図である。
【図２】本発明による薬剤送出ペンのキャップおよびペンニードルマガジンディスペンサの分解斜視図である。
【図３】本発明によるペンニードルの斜視図であり、薬剤送出ペンの末部にねじ込んだアダプタに装着される。
【図４】図２に示したペンニードルマガジンディスペンサの分解斜視図である。
【図５】ペンニードルマガジンディスペンサの部分破断図と共にアダプタおよびペンニードルの分解斜視図である。
【図６】本発明によるアダプタおよびペンニードルの他の分解斜視図である。
【符号の説明】
１  薬剤送出ペン
２  ゴム膜
３  キャップ
５  クリップ
６  薬剤送出ペンの末部
７  開口端（開口）
８  ねじ山
１０  ペンニードルマガジンディスペンサ
２０  カバー
２１  スロット
２２  中央支柱
２３  拡大頭部
２５  ラチェット歯
２６  回り止めキー
２７  外側リップ
３０  コンテナ
３１  キャビティ
３２  コンテナの上面
３３  複数のラチェット歯
３４  フランジ
３５  コンテナの外壁
３６  回り止めピン
３７  コンテナの中央開口
３９  開口端
４１  底側部分
４２  上側部分
４３  段部
４４  閉鎖端
４５  １組のねじ山
４６  保持リング
５０  アダプタ
５１  開口末部
５２  １組のねじ山
５３  独特な三角形の開口
５４  アダプタの末部
５５  対応する保持リング
１００  ペンニードルアセンブリィ
１０１  １組のねじ山
１０２  ハブ
１０３  針状カニューレ
１０４  ペンニードルアセンブリィの末部尖端
１０５  ペンニードルアセンブリィの基部尖端
１０７  末部
１０９  針アセンブリィの三角形基部
１１０  スプライン
１５０  ラベル（無菌バリア）
【図１】
0004331287.tif 000002
【図２】
0004331287.tif 000003
【図３】
0004331287.tif 000004
【図４】
0004331287.tif 000005
【図５】
0004331287.tif 000006
【図６】
0004331287.tif 000007